(57)【要約】【課題】  放送映像および蓄積映像を表示する表示モードを有する映像処理装置の操作性を改善できるようにする。【解決手段】  ユーザが放送映像（放送波から得られた映像）および蓄積映像（記録媒体から得られた映像）を表示する表示モードから放送映像だけを表示する表示モードに切り換えた場合、ＣＰＵ６２は蓄積映像の再生を自動的に一時停止するようにし、ユーザが放送映像だけを表示する表示モードから放送映像および蓄積映像を表示する表示モードに切り換えた場合、ＣＰＵ６２は蓄積映像の再生を自動的に再開するようにする。【選択図】  図１
2008306740.tif 000002
【特許請求の範囲】
【請求項１】
放送波から得られた第１の映像と、記録媒体から再生された第２の映像とを前記表示手段に表示している場合において、前記第２の映像の再生を一時停止するための指示が検出されたときは、前記第１の映像のサイズを当該サイズよりも大きいサイズに変更し、前記第１の映像と前記第２の映像とを前記表示手段に表示している場合において、前記第２の映像の再生を一時停止するための指示が検出されたときは、前記第２の映像のサイズを当該サイズよりも小さいサイズに変更する制御手段を有することを特徴とする映像処理装置。
【請求項２】
前記制御手段は、前記第１の映像と前記第２の映像とを前記表示手段に表示している場合において、前記第２の映像の再生を再開させるための指示が検出されたときは、前記第１の映像のサイズを当該サイズよりも小さいサイズに変更し、前記第１の映像と前記第２の映像とを前記表示手段に表示している場合において、前記第２の映像の再生を再開させるための指示が検出されたときは、前記第２の映像のサイズを当該サイズよりも大きいサイズに変更することを特徴とする請求項１に記載の映像処理装置。
【請求項３】
前記第２の映像の再生を再開させる場合は、前記第２の映像の再生を一時停止している箇所よりも前の箇所から前記第２の映像の再生を再開させることを特徴とする請求項２に記載の映像処理装置。
【発明の詳細な説明】
【技術分野】
【０００１】
本発明は、放送波から得られた映像と記録媒体から再生された映像とを表示する表示モードを有する映像処理装置に関する。
【背景技術】
【０００２】
従来の映像処理装置には、放送波から得られた映像（以下、放送映像）と、記録媒体から再生された映像（以下、蓄積映像）とを表示する表示モードを有するものがあることが知られている（特開平１０−３０４２８７号公報参照）。
【特許文献１】特開平１０−３０４２８７号公報
【発明の開示】
【発明が解決しようとする課題】
【０００３】
しかしながら、従来の映像処理装置は、放送映像および蓄積映像を表示する表示モードから放送映像だけを表示する表示モードに切り換えた場合、蓄積映像の再生を自動的に停止または一時停止することはできなかった。そのため、ユーザは表示モードを切り換えた後、蓄積映像の再生を停止または一時停止にすることを指示しなければならず、操作が面倒であるという問題があった。
【０００４】
また、従来の映像処理装置には、放送映像および蓄積映像を表示しているときに蓄積映像の再生を一時停止しても、放送映像のサイズを自動的に大きくすることはできないという問題もあった。もし、放送映像のサイズを自動的に大きくできれば、一時停止中の蓄積映像よりも放送映像を見やすくすることができるが、従来の映像処理装置にはこのような機能はなかった。
【０００５】
本発明は、このような問題を解決するためになされたものであり、放送映像および蓄積映像を表示する表示モードを有する映像処理装置の操作性を改善することを目的とする。
【課題を解決するための手段】
【０００６】
本発明に係る映像処理装置は、放送波から得られた第１の映像と、記録媒体から再生された第２の映像とを前記表示手段に表示している場合において、前記第２の映像の再生を一時停止するための指示が検出されたときは、前記第１の映像のサイズを当該サイズよりも大きいサイズに変更し、前記第１の映像と前記第２の映像とを前記表示手段に表示している場合において、前記第２の映像の再生を一時停止するための指示が検出されたときは、前記第２の映像のサイズを当該サイズよりも小さいサイズに変更する制御手段を有することを特徴とする。
【発明の効果】
【０００７】
本発明によれば、放送映像および蓄積映像を表示する表示モードを有する映像処理装置の操作性を改善することができる。
【発明を実施するための最良の形態】
【０００８】
以下、図面を参照し、本発明の複数の実施の形態を詳細に説明する。
【０００９】
（第１の実施の形態）
図１は、本発明の各実施の形態における映像処理装置であるデジタル放送受信装置の主要な構成要素を示す図である。図１に示す映像処理装置は、ＤＶＢ（Ｄｉｇｉｔａｌ  Ｖｉｄｅｏ  Ｂｒｏａｄｃａｓｔｉｎｇ）に準拠したデジタル放送を受信する装置である。また、図１に示す映像処理装置は、ＭＰＥＧ−２システム（参考文献：ＩＳＯ／ＩＥＣ  １３８１８−１  Ｉｎｔｅｒｎａｔｉｏｎａｌ  Ｓｔａｎｄａｒｄ  ＭＰＥＧ−２  Ｓｙｓｔｅｍｓ）、ＭＰＥＧ−２ビデオ（参考文献：ＩＳＯ／ＩＥＣ  １３８１８−２  Ｉｎｔｅｒｎａｔｉｏｎａｌ  Ｓｔａｎｄａｒｄ  ＭＰＥＧ−２  Ｖｉｄｅｏ）およびＭＰＥＧ−２オーディオ（参考文献：ＩＳＯ／ＩＥＣ  １３８１８−３  Ｉｎｔｅｒｎａｔｉｏｎａｌ  Ｓｔａｎｄａｒｄ  ＭＰＥＧ−２  Ａｕｄｉｏ）に準拠した装置である。
【００１０】
ＣＰＵ（Ｃｅｎｔｒａｌ  Ｐｒｏｃｅｓｓｉｎｇ  Ｕｎｉｔ）６２は、プログラムメモリ５８に記録されたプログラムに従って映像処理装置の機能を制御する。プログラムメモリ５８は、ＣＰＵ６２で実行可能なプログラムを記録した記録媒体である。バス５０は、ＣＰＵ６２と他の回路とを接続するものである。ＲＡＭ（ランダムアクセスメモリ）５６は、ＣＰＵ６２のワークメモリである。不揮発性メモリ６０は、電源をオフにしたときの映像処理装置の状態を記録するメモリである。
【００１１】
アンテナ１０は、ＤＶＢ（Ｄｉｇｉｔａｌ  Ｖｉｄｅｏ  Ｂｒｏａｄｃａｓｔｉｎｇ）に準拠したデジタル放送を受信する。デジタルチューナ１２は、ＣＰＵ６２によって指定されたトランスポートストリームを受信する。復調＆エラー訂正部１４は、デジタルチューナ１２から得られたトランスポートストリームを復調し、その誤りを訂正する。
【００１２】
デマルチプレクサ１６は、復調＆エラー訂正部１４から得られたトランスポートストリームから映像ストリーム（以下、放送映像ストリーム）および音声ストリーム（以下、放送音声ストリーム）を分離し、放送映像ストリームを映像デコーダ１８に供給し、放送音声ストリームを音声デコーダ３８に供給する。
【００１３】
映像デコーダ１８は、デマルチプレクサ１６から供給された放送映像ストリームをデコードし、蓄積映像を生成する。解像度変換部２０は、映像デコーダ１８から得られた放送映像の解像度を調整することによってその放送映像のサイズを変更する。
【００１４】
ＨＤＤインターフェース２８は、復調＆エラー訂正部１４から得られたトランスポートストリームをＨＤＤ（ハードディスクドライブ）３０に記録し、ＣＰＵ６２によって指定されたトランスポートストリームをＨＤＤ３０から再生するインターフェースである。
【００１５】
デマルチプレクサ３２は、ＨＤＤインターフェース２８から得られたトランスポートストリームから映像ストリーム（以下、蓄積映像ストリーム）および音声ストリーム（以下、蓄積音声ストリーム）を分離し、蓄積映像ストリームを映像デコーダ３４に供給し、蓄積音声ストリームを音声デコーダ４０に供給する。
【００１６】
映像デコーダ３４は、デマルチプレクサ３２から得られた蓄積映像ストリームをデコードし、蓄積映像を生成する。解像度変換部３６は、映像デコーダ３４から得られた蓄積映像の解像度を調整することによってその蓄積映像のサイズを変更する。
【００１７】
合成部２２は、ＣＰＵ６２からの指示に従い、解像度変換部２０から得られた放送映像、解像度変換部３４から得られた蓄積映像、解像度変換部２０から得られた放送映像と解像度変換部３４から得られた蓄積映像とを含む合成映像の何れかを出力する。また、合成部２２は、ＣＰＵ６２からの指示に従い、放送映像の一部にＯＳＤ（オンスクリーンディスプレイ）部６４から得られた表示情報を重ね合わせ、蓄積映像の一部にＯＳＤ部６４から得られた表示情報を重ね合わせる。Ｄ／Ａ変換器２４は、合成部２２から出力された放送映像、蓄積映像または合成映像をＤ／Ａ変換する。表示器２６は、Ｄ／Ａ変換器２４から得られた放送映像、蓄積映像または合成映像を表示する。
【００１８】
音声デコーダ３８は、デマルチプレクサ１６から供給された放送音声ストリームをデコードし、放送音声を生成する。音声デコーダ４０は、デマルチプレクサ３２から供給された蓄積音声ストリームをデコードし、蓄積音声を生成する。
【００１９】
スイッチ４２は、ＣＰＵ６２からの指示に従い、音声デコーダ３８または音声デコーダ４０を選択する。Ｄ／Ａ変換器４４は、スイッチ４２から得られた放送音声または蓄積音声をＤ／Ａ変換する。アンプ４６は、Ｄ／Ａ変換器４４から得られた放送音声または蓄積音声を増幅する。スピーカ４８は、アンプ４６から得られた放送音声または蓄積音声を出力する。
【００２０】
リモートコントロール装置（リモコン）５２は、映像処理装置をリモートコントールする装置である。リモコンインターフェース５４は、リモコン５２から出力されたリモコンコードを受信し、受信したリモコンコードをＣＰＵ６２に供給するインターフェースである。
【００２１】
図２は、リモコン５２およびリモコン５２の操作キーを示す図である。
【００２２】
７０は送信部である。送信部７０は、キー７２〜１１４の一つが押されると、それに対応するリモコンコードを出力する。
【００２３】
７２は電源キー、８４はＨＤＤメニューキー、７４は決定キー、７６は右カーソルキー、７８は下カーソルキー、８０は左カーソルキー、８２は上カーソルキーである。
【００２４】
８６〜９６は、ＨＤＤ３０を制御する操作キーである。８６は早戻しキー、８８は再生キー、９０は早送りキー、９２は記録キー、９４はストップキー、９６はポーズキーである。
【００２５】
１０４はチャネル選択キーである。１０６は番組表キーである。ＣＰＵ６２は、番組表キー１０６が押されたことを検出すると、表示器２６に電子番組表（ＥＰＧ）を表示する。１０８はチャネルダウンキー、１１０はチャネルアップキーである。１１２は音量ダウンキーであり、１１４は音量アップキーである。
【００２６】
９８〜１０２はウインドウ制御キーである。１００は表示モードを２ウインドウモード（表示器２６に蓄積映像と放送映像とを表示する表示モード）に切り換える２ウインドウキーである。９８は左ウインドウキーであり、１０２は右ウインドウキーである。２ウインドウモードのときに左ウインドウキー９８が押されると、左のウインドウがアクティブな状態になり、スピーカ４８からは左のウインドウの映像に対応する音声が出力される。一方、２ウインドウモードのときに右ウインドウキー１０２が押されると、右のウインドウがアクティブな状態になり、スピーカ４８からは右のウインドウの映像に対応する音声が出力される。
【００２７】
図４および図５は、第１の実施の形態における映像処理装置の処理手順を説明するフローチャートである。
【００２８】
ステップＳ１１：ＣＰＵ６２は、電源がオンになったか否かを判定する。電源がオンになった場合はステップＳ１２に進む。この場合、ＣＰＵ６２は、放送モード（これは、表示器２６に放送映像を表示し、蓄積映像を表示しない表示モードである）となる。
【００２９】
ステップＳ１２：ＣＰＵ６２は、不揮発性メモリ６０が記憶するチャネル番号（電源をオフにしたときにＣＰＵ６２が不揮発性メモリ６０に書き込んだもの）を読み出し、そのチャネル番号に対応する放送波の受信をデジタルチューナ１２に指示する。
【００３０】
ステップＳ１３：デジタルチューナ１２は、ＣＰＵ６２によって指定されたトランスポートストリームを出力する。復調＆エラー訂正部１４は、デジタルチューナ１２から得られたトランスポートストリームを復調し、その誤りを訂正する。
【００３１】
ステップＳ１４：デマルチプレクサ１６は、復調＆エラー訂正部１４から得られたトランスポートストリームから放送映像ストリームおよび放送音声ストリームを分離し、放送映像ストリームを映像デコーダ１８に供給し、放送音声ストリームを音声デコーダ３８に供給する。
【００３２】
ステップＳ１５：映像デコーダ１８は放送映像ストリームのデコードを開始し、音声デコーダ３８も放送音声ストリームのデコードを開始する。解像度変換部２０は、映像デコーダ１８から得られた放送映像の解像度を調整することによってその放送映像のサイズを表示器２６の画面サイズに合わせる。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせ、その放送映像をＤ／Ａ変換２４に供給する。スイッチ４２は、音声デコーダ３８から得られた放送音声を選択し、それをＤ／Ａ変換器４４に供給する。
【００３３】
ステップＳ１６：表示器２６は、Ｄ／Ａ変換２４から得られた放送映像を表示する。スピーカ４８は、アンプ４６から得られた放送音声を出力する。
【００３４】
ステップＳ１７：ＣＰＵ６２は、ＨＤＤメニューキー８４が押されたか否かを判定する。ＣＰＵ６２は、ＨＤＤメニューキー８４が押されたことを検出した場合、ステップＳ１８からステップＳ２３までの処理の制御を開始する。この場合、ＣＰＵ６２は、放送モードからＨＤＤモード（これは、表示器２６に蓄積映像を表示し、放送映像を表示しない表示モードである）となる。
【００３５】
ステップＳ１８：ＣＰＵ６２は、ＯＳＤ部６４にＨＤＤ３０用のメニュー画面を生成させ、表示器２６にそのメニュー画面を表示させる。このとき、表示器２６に表示されるメニュー画面の一例を図３に示す。本実施の形態では、図３に示すように、ＨＤＤ３０に記録された蓄積映像のタイトルおよびサムネイル画像をメニュー画面に表示する。ユーザはカーソルキー７６〜８２および決定キー７４を使って再生したい蓄積映像を選択する。図３の１２０は、ユーザが選択した蓄積映像のサムネイル画像である。
【００３６】
ステップＳ２０：ＨＤＤインターフェース２８は、ユーザによって選択された蓄積映像のトランスポートストリームの再生を開始する。
【００３７】
ステップＳ２１：デマルチプレクサ３２は、ＨＤＤインターフェース２８から得られたトランスポートストリームから蓄積映像ストリームおよび蓄積音声ストリームを分離し、蓄積映像ストリームを映像デコーダ３４に供給し、蓄積音声ストリームを音声デコーダ４０に供給する。
【００３８】
ステップＳ２２：映像デコーダ３４は蓄積映像ストリームのデコードを開始し、音声デコーダ４０も蓄積音声ストリームのデコードを開始する。解像度変換部３６は、映像デコーダ３４から得られた蓄積映像の解像度を調整することによってその蓄積映像のサイズを表示器２６の画面サイズに合わせる。ＯＳＤ部６４は、蓄積映像が再生中であることを表す表示情報（例えば、「ＨＤＤ  ＰＬＡＹ」）を生成する。合成部２２は、ＯＳＤ部６４から得られた表示情報を解像度変換部３６から得られた蓄積映像の一部に重ね合わせ、その蓄積映像をＤ／Ａ変換２４に供給する。スイッチ４２は、音声デコーダ４０から得られた蓄積音声を選択し、それをＤ／Ａ変換器４４に供給する。
【００３９】
ステップＳ２３：表示器２６は、Ｄ／Ａ変換２４から得られた蓄積映像を表示する。スピーカ４８は、アンプ４６から得られた蓄積音声を出力する。
【００４０】
ステップＳ２４：ＣＰＵ６２は、２ウインドウキー１００が押されたか否かを判定する。ＣＰＵ６２は、２ウインドウキー１００が押されたことを検出した場合、ステップＳ２５からステップＳ２６までの処理の制御を開始する。この場合、ＣＰＵ６２は、ＨＤＤモードから２ウインドウモード（これは、表示器２６に放送映像と蓄積映像とを表示する表示モードである）となる。また、ＣＰＵ６２は、蓄積映像を表示するウインドウ（左のウインドウ）をアクティブな状態にする。
【００４１】
ステップＳ２５：解像度変換部２０は、映像デコーダ１８から得られた放送映像（これはユーザが最後に見たチャネルの映像である）の解像度を調整することによってその放送映像のサイズを表示器２６の画面サイズの約１／４にする。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせる。一方、解像度変換部３６は、映像デコーダ３４から得られた蓄積映像の解像度を調整することによってその蓄積映像のサイズを表示器２６の画面サイズの約１／４にする。ＯＳＤ部６４は、蓄積映像が再生中であることを表す表示情報（例えば、「ＨＤＤ  ＰＬＡＹ」）を生成する。合成部２２は、ＯＳＤ部６４から得られた表示情報を解像度変換部３６から得られた蓄積映像の一部に重ね合わせる。
【００４２】
ステップＳ２６：合成部２２は、解像度変換部２０から得られた放送映像と解像度変換部３６から得られた蓄積映像とを含む合成映像を生成する。Ｄ／Ａ変換２４は、合成部２２から得られた合成映像をＤ／Ａ変換する。表示器２６は、Ｄ／Ａ変換２４から得られた合成映像を表示する。このとき、表示器２６が表示する映像の一例を図６（ａ）に示す。図６（ａ）において、１３０は表示器２６の画面、１３２は蓄積映像、１３４は放送映像である。またこのとき、スピーカ４８からは蓄積音声が出力されている。スピーカ４８から出力される音声を放送音声に切り換えたい場合、ユーザは右ウインドウキー１０２（放送映像は画面の右に表示されているため）を押せばよい。
【００４３】
ステップＳ２７：ＣＰＵ６２は、右ウインドウキー１０２が押されたか否かを判定する。ＣＰＵ６２は、右ウインドウキー１０２が押されたことを検出した場合、右のウインドウをアクティブな状態にし、ステップＳ２８の処理の制御を開始する。
【００４４】
ステップＳ２８：スイッチ４２は、音声デコーダ３８から得られた放送音声を選択し、それをＤ／Ａ変換器４４に供給する。スピーカ４８は、アンプ４６から得られた蓄積音声を出力する。このとき、放送音声の音量を上げたい場合、ユーザは音量アップキー１１４を押せばよい。また、放送音声の音量を下げたい場合、ユーザは音量ダウンキー１１２を押せばよい。右のウインドウに別のチャネルの放送映像を表示したい場合、ユーザはチャネルダウンキー１０８またはチャネルアップキー１１０を押せばよい。
【００４５】
ステップＳ３０：ＣＰＵ６２は、２ウインドウキー１００が押されたか否かを判定する。ＣＰＵ６２は、２ウインドウキー１００が押されたことを検出した場合、ステップＳ３１からステップＳ３２までの処理の制御を開始する。この場合、ＣＰＵ６２は、放送映像を表示している右のウインドウがアクティブであるため、２ウインドウモードから放送モードになる。
【００４６】
ステップＳ３１：ＨＤＤインターフェース２８は、トランスポートストリームの再生を自動的に一時停止する。スイッチ４２は、音声デコーダ３８から得られた放送音声を選択し、それをＤ／Ａ変換器４４に供給する。スピーカ４８は、アンプ４６から得られた放送音声を出力する。
【００４７】
ステップＳ３２：解像度変換部２０は、映像デコーダ１８から得られた放送映像の解像度を調整することによってその放送映像のサイズを表示器２６の画面サイズに合わせる。ＯＳＤ部６４は、放送映像のチャネル番号を表す表示情報（例えば、「６ｃｈ」）を生成する。合成部２２は、ＯＳＤ部６４から得られた表示情報と、解像度変換部２０から得られた放送映像とを合成する。また、合成部２２は、放送映像と一時停止中の蓄積映像と合成しないようにし、放送映像のみをＤ／Ａ変換２４に供給する。Ｄ／Ａ変換２４は、合成部２２から得られた放送映像をＤ／Ａ変換する。表示器２６は、Ｄ／Ａ変換２４から得られた放送映像を表示する。このとき、表示器２６が表示する映像の一例を図６（ｂ）に示す。図６（ｂ）において、１３０は表示器２６の画面、１３４は放送映像である。図６（ｂ）に示すように、画面全体に放送映像を表示することができるので、放送映像を見やすくすることができる。
【００４８】
ステップＳ３３：ＣＰＵ６２は、２ウインドウキー１００が押されたか否かを判定する。ＣＰＵ６２は、２ウインドウキー１００が押されたことを検出した場合、ステップＳ３４からステップＳ３６までの処理の制御を開始する。この場合、ＣＰＵ６２は、放送モードから２ウインドウモードに戻る。
【００４９】
ステップＳ３４：ＨＤＤインターフェース２８は、ステップＳ３１で一時停止した箇所からトランスポートストリームの再生を自動的に再開する。
【００５０】
ステップＳ３５：解像度変換部２０は、映像デコーダ１８から得られた放送映像の解像度を調整することによってその放送映像のサイズを表示器２６の画面サイズの約１／４にする。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせる。一方、解像度変換部３６は、映像デコーダ３４から得られた蓄積映像の解像度を調整することによってその蓄積映像のサイズを表示器２６の画面サイズの約１／４にする。ＯＳＤ部６４は、蓄積映像が再生中であることを表す表示情報（例えば、「ＨＤＤ  ＰＬＡＹ」）を生成する。合成部２２は、ＯＳＤ部６４から得られた表示情報を解像度変換部３６から得られた蓄積映像の一部に重ね合わせる。
【００５１】
ステップＳ３６：合成部２２は、解像度変換部２０から得られた放送映像と解像度変換部３６から得られた蓄積映像とを含む合成映像を生成する。Ｄ／Ａ変換２４は、合成部２２から得られた合成映像をＤ／Ａ変換する。表示器２６は、Ｄ／Ａ変換２４から得られた合成映像を表示する。このとき、表示器２６が表示する映像の一例を図６（ｃ）に示す。図６（ｃ）において、１３０は表示器２６の画面、１３２は蓄積映像、１３４は放送映像である。またこのとき、スピーカ４８から出力される音声を蓄積音声に切り換えたい場合、ユーザは左ウインドウキー９８（蓄積映像が画面の左に表示されているので）を押せばよい。
【００５２】
このように、第１の実施の形態における映像処理装置によれば、２ウインドウモード（表示器２６に放送映像および蓄積映像を含む合成映像を表示する表示モード）から放送モード（表示器２６に放送映像だけを表示する表示モード）に変更した場合は、蓄積映像および蓄積音声の再生を自動的に一時停止することができるので、再生の一時停止を映像処理装置に指示する手間を省くことができ、便利である。
【００５３】
また、第１の実施の形態における映像処理装置によれば、放送映像だけを表示する表示モードから放送映像および蓄積映像を含む合成映像を表示する表示モードに戻した場合には、蓄積映像および蓄積音声の再生を一時停止した箇所から自動的に再開することができるので、再生の再開を映像処理装置に指示する手間を省くことができる。
【００５４】
また、第１の実施の形態で説明した機能は、図１のＣＰＵ６２で実行可能なプログラムによって実現することもできる。
【００５５】
また、図１に示す映像処理装置は、ハードディスクドライブを用いる装置であるが、テープドライブ、光磁気ディスク等の記録媒体を用いる装置で実現することもできる。
【００５６】
（第２の実施の形態）
図７は、第２の実施の形態における映像処理装置の処理手順を説明するフローチャートである。なお、第２の実施の形態における映像処理装置は、第１の実施の形態における映像処理装置と同じ構成を有し、第１の実施の形態で説明した機能を有するものであるのでその詳細な説明を省略する。また、図４のステップＳ１１からステップＳ２２までの処理、および、図５のステップＳ２３からステップＳ２６までの処理も第１の実施の形態と同じであるのでその詳細な説明を省略する。
【００５７】
ステップＳ４１：ステップＳ２６の処理の後、ＣＰＵ６２はポーズキー９６が押されたか否かを判定する。ＣＰＵ６２は、ポーズキー９６が押されたことを検出した場合（つまり、蓄積映像および蓄積音声の再生の一時停止を要求する指示を検出した場合）、ステップＳ４２からステップＳ４３までの処理の制御を開始する。
【００５８】
ステップＳ４２：ＨＤＤインターフェース２８は、トランスポートストリームの再生を自動的に一時停止する。スイッチ４２は、音声デコーダ３８から得られた放送音声を選択し、それをＤ／Ａ変換器４４に供給する。スピーカ４８は、アンプ４６から得られた放送音声を自動的に出力し始める。
【００５９】
ステップＳ４３：解像度変換部２０は、映像デコーダ１８から得られた放送映像の解像度を調整することによってその放送映像のサイズを表示器２６の画面サイズに合わせる。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせる。このとき、合成部２２は、蓄積映像の再生が一時停止中であることを表す表示情報（アイコンなど）を放送映像に合成することも可能である。また、合成部２２は、放送映像と一時停止中の蓄積映像と合成しないようにし、放送映像のみをＤ／Ａ変換２４に供給する。Ｄ／Ａ変換２４は、合成部２２から得られた放送映像をＤ／Ａ変換する。表示器２６は、Ｄ／Ａ変換２４から得られた放送映像を表示する。このとき、表示器２６が表示する映像の一例を図６（ｂ）に示す。図６（ｂ）において、１３０は表示器２６の画面、１３４は放送映像である。図６（ｂ）に示すように、画面全体に放送映像を表示することができるので、放送映像を見やすくすることができる。
【００６０】
ステップＳ４４：ＣＰＵ６２は再生キー８８またはポーズキー９６が押されたか否かを判定する。ＣＰＵ６２は、再生キー８８またはポーズキー９６が押されたことを検出した場合（つまり、蓄積映像および蓄積音声の再生の再開を要求する指示を検出した場合）、ステップＳ４５からステップＳ４７までの処理の制御を開始する。
【００６１】
ステップＳ４５：ＨＤＤインターフェース２８は、ステップＳ４２で一時停止した箇所からトランスポートストリームの再生を自動的に再開する。スイッチ４２は、音声デコーダ４０から得られた蓄積音声を選択し、それをＤ／Ａ変換器４４に供給する。スピーカ４８は、アンプ４６から得られた蓄積音声の出力を自動的に開始する。
【００６２】
ステップＳ４６：解像度変換部２０は、映像デコーダ１８から得られた放送映像の解像度を調整することによってその放送映像のサイズを表示器２６の画面サイズの約１／４にする。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせる。一方、解像度変換部３６は、映像デコーダ３４から得られた蓄積映像の解像度を調整することによってその蓄積映像のサイズを表示器２６の画面サイズの約１／４にする。ＯＳＤ部６４は、蓄積映像が再生中であることを表す表示情報（例えば、「ＨＤＤ  ＰＬＡＹ」）を生成する。合成部２２は、ＯＳＤ部６４から得られた表示情報を解像度変換部３６から得られた蓄積映像の一部に重ね合わせる。
【００６３】
ステップＳ４７：合成部２２は、解像度変換部２０から得られた放送映像と解像度変換部３６から得られた蓄積映像とを含む合成映像を生成する。Ｄ／Ａ変換２４は、合成部２２から得られた合成映像をＤ／Ａ変換する。表示器２６は、Ｄ／Ａ変換２４から得られた合成映像を表示する。このとき、表示器２６が表示する映像の一例を図６（ｃ）に示す。図６（ｃ）において、１３０は表示器２６の画面、１３２は蓄積映像、１３４は放送映像である。またこのとき、スピーカ４８からは蓄積音声が出力されている。スピーカ４８から出力される音声を放送音声に切り換えたい場合、ユーザは右ウインドウキー１０２（放送映像は画面の右に表示されているため）を押せばよい。
【００６４】
このように、第２の実施の形態における映像処理装置によれば、表示器２６に放送映像および蓄積映像を表示しているときに蓄積映像の再生を一時停止する指示を検出した場合は、一時停止中の蓄積映像の表示を自動的に止めるとともに、放送映像のサイズを自動的に大きくすることができるので、放送映像を見やすくすることができる。さらに、この場合において蓄積映像の再生を再開する指示を検出した場合は、蓄積映像および放送映像のサイズを自動的に元のサイズに戻すことも、蓄積音声の出力を自動的に開始することもできる。
【００６５】
なお、第２の実施の形態で説明した機能は、第１の実施の形態で説明した機能と併用することができる。つまり、第２の実施の形態における映像処理処理は、第１の実施の形態で説明した機能を有するものとしてであってもよい。
【００６６】
また、第２の実施の形態で説明した機能は、図１のＣＰＵ６２で実行可能なプログラムによって実現することもできる。
【００６７】
（第３の実施の形態）
図８は、第３の実施の形態における映像処理装置の処理手順を説明するフローチャートである。第３の実施の形態では、第１の実施の形態の一部を変更した形態を説明する。具体的には、図５のステップＳ３４の処理を図８のステップＳ５１の処理に置き換えた形態を説明する。なお、図４のステップＳ１１からステップＳ２２までの処理、図５のステップＳ２３からステップＳ３３までの処理、および、図５のステップＳ３５からステップＳ３６までの処理は第１の実施の形態と同じであるので詳細な説明を省略する。
【００６８】
ステップＳ５１：ＨＤＤインターフェース２８は、ＣＰＵ６２からの指示に従い、ステップＳ３１で一時停止した箇所の少し前（例えば、３秒前）からトランスポートストリームの再生を再開する。
【００６９】
このように、第３の実施の形態における映像処理装置によれば、トランスポートストリームの再生を所定時間前（例えば、３秒前）から再開することができるので、再開直後の蓄積映像の見落としをなくすことができる。
【００７０】
なお、第３の実施の形態で説明した機能は、第１の実施の形態における映像処理装置に限らず、第２の実施の形態における映像処理装置にも、第５の実施の形態における映像処理装置にも適用することができる。
【００７１】
また、第３の実施の形態で説明した機能は、図１のＣＰＵ６２で実行可能なプログラムによって実現することもできる。
【００７２】
（第４の実施の形態）
図９は、第４の実施の形態における映像処理装置の処理手順を説明するフローチャートである。なお、第４の実施の形態における映像処理装置は、第１の実施の形態における映像処理装置と同じ構成を有し、第１の実施の形態で説明した機能を有するものであるのでその詳細な説明を省略する。また、図４のステップＳ１１からステップＳ２２までの処理、および、図５のステップＳ２３からステップＳ２６までの処理も第１の実施の形態と同じであるので詳細な説明を省略する。
【００７３】
ステップＳ６１：ステップＳ２６の処理の後、ＣＰＵ６２は音量アップキー１１４が押されたか否かを判定する。ＣＰＵ６２は、音量アップキー１１４が押されたことを検出した場合、ステップＳ６２の処理の制御を開始する。
【００７４】
ステップＳ６２：アンプ４６は、蓄積音声の音量を上げる。スピーカ４８は、アンプ４６から得られた蓄積音声を出力する。
【００７５】
ステップＳ６３：ＣＰＵ６２は、２ウインドウキー１００が押されたか否かを判定する。ＣＰＵ６２は、２ウインドウキー１００が押されたことを検出した場合、ステップＳ６４からステップＳ６６までの処理の制御を開始する。
【００７６】
ステップＳ６４：ＨＤＤインターフェース２８は、復調＆エラー訂正部１４から得られたトランスポートストリームをＨＤＤ３０に記録する処理を自動的に開始する。つまり、ＨＤＤインターフェース２８は、受信中のトランスポートストリームを記録する処理を自動的に開始する。
【００７７】
ステップＳ６５：ＨＤＤインターフェース２８は、ＣＰＵ６２からの指示に従い、次の番組が始まるまで受信中のトランスポートストリームの記録を続ける。
【００７８】
ステップＳ６６：解像度変換部３６は、映像デコーダ３４から得られた蓄積映像の解像度を調整することによってその蓄積映像のサイズを表示器２６の画面サイズに合わせる。ＯＳＤ部６４は、蓄積映像が再生中であることを表す表示情報（例えば、「ＨＤＤ  ＰＬＡＹ」）を生成する。合成部２２は、ＯＳＤ部６４から得られた表示情報を解像度変換部３６から得られた蓄積映像の一部に重ね合わせる。このとき、合成部２２は、放送映像が記録中であることを表す表示情報（アイコンなど）を蓄積映像の一部に重ね合わせることも可能である。また、合成部２２は、蓄積映像と記録中の放送映像と合成しないようにし、蓄積映像のみをＤ／Ａ変換２４に供給する。Ｄ／Ａ変換２４は、合成部２２から得られた蓄積映像をＤ／Ａ変換する。表示器２６は、Ｄ／Ａ変換２４から得られた蓄積映像を表示する。
【００７９】
このように、第４の実施の形態における映像処理装置によれば、２ウインドウモード（表示器２６に放送映像および蓄積映像を含む合成映像を表示する表示モード）からＨＤＤモード（表示器２６に蓄積映像だけを表示する表示モード）に変更した場合は、放送映像および放送音声の記録を自動的に開始することができるので、放送映像および放送音声の続きを蓄積映像および蓄積音声を視聴した後に視聴することができるようになり、便利である。
【００８０】
なお、第４の実施の形態で説明した機能は、第１の実施の形態における映像処理装置に限らず、第２の実施の形態における映像処理装置にも、第５の実施の形態における映像処理装置にも適用することができる。
【００８１】
また、第４の実施の形態で説明した機能は、図１のＣＰＵ６２で実行可能なプログラムによって実現することもできる。
【００８２】
（第５の実施の形態）
図１０は、第５の実施の形態における映像処理装置の処理手順を説明するフローチャートである。なお、第５の実施の形態における映像処理装置は、第１の実施の形態における映像処理装置と同じ構成を有し、第１の実施の形態で説明した機能を有するものであるのでその詳細な説明を省略する。また、図４のステップＳ１１からステップＳ２２までの処理、および、図５のステップＳ２３からステップＳ２６までの処理も第１の実施の形態と同じであるのでその詳細な説明を省略する。
【００８３】
ステップＳ１０１：ステップＳ２６の処理の後、ＣＰＵ６２はポーズキー９６が押されたか否かを判定する。ＣＰＵ６２は、ポーズキー９６が押されたことを検出した場合（つまり、蓄積映像および蓄積音声の再生の一時停止を要求する指示を検出した場合）、ステップＳ１０２からステップＳ１０４までの処理の制御を開始する。
【００８４】
ステップＳ１０２：ＨＤＤインターフェース２８は、トランスポートストリームの再生を自動的に一時停止する。スイッチ４２は、音声デコーダ３８から得られた放送音声を選択し、それをＤ／Ａ変換器４４に供給する。スピーカ４８は、アンプ４６から得られた放送音声の出力を自動的に開始する。
【００８５】
ステップＳ１０３：解像度変換部３６は、一時停止中の蓄積映像（以下、ポーズ映像）の解像度を変更し、そのポーズ映像のサイズを表示器２６の画面サイズの約１／８にする。ＯＳＤ部６４は、蓄積映像の再生が一時停止中であることを表す表示情報（ＨＤＤ  ＰＡＵＳＥ）を生成する。合成部２２は、ＯＳＤ部６４から得られた表示情報を解像度変換部３６から得られたポーズ映像の一部に重ね合わせる。一方、解像度変換部２０は、映像デコーダ１８から得られた放送映像の解像度を調整することによってその放送映像のサイズを表示器２６の画面サイズの約１／２にする。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせる。
【００８６】
ステップＳ１０４：合成部２２は、解像度変換部２０から得られた放送映像と解像度変換部３６から得られたポーズ映像とを含む合成映像を生成する。Ｄ／Ａ変換２４は、合成部２２から得られた合成映像をＤ／Ａ変換する。表示器２６は、Ｄ／Ａ変換２４から得られた合成映像を表示する。このとき、表示器２６が表示する合成映像の一例を図１１に示す。図１１において、１３０は表示器２６の画面、１３２はポーズ映像、１３４は放送映像である。図１１に示すように、一時停止中の蓄積映像を小さく表示し、放送映像を大きく表示することができるので、放送映像を見やすくすることも、蓄積映像を一時停止した位置をユーザに知らせることもできる。
【００８７】
ステップＳ１０５：ＣＰＵ６２は再生キー８８またはポーズキー９６が押されたか否かを判定する。ＣＰＵ６２は、再生キー８８またはポーズキー９６が押されたことを検出した場合（つまり、蓄積映像および蓄積音声の再生の再開を要求する指示を検出した場合）、ステップＳ１０６からステップＳ１０８までの処理を開始する。
【００８８】
ステップＳ１０６：ＨＤＤインターフェース２８は、ステップＳ１０２で一時停止した箇所からトランスポートストリームの再生を自動的に再開する。デマルチプレクサ３２は、ＨＤＤインターフェース２８から得られたトランスポートストリームから蓄積映像ストリームを分離し、それを映像デコーダ３４に供給する。また、デマルチプレクサ３２は、ＨＤＤインターフェース２８から得られたトランスポートストリームから蓄積音声ストリームを分離し、それを音声デコーダ４０に供給する。映像デコーダ３４は蓄積映像ストリームのデコードを開始し、音声デコーダ４０も蓄積音声ストリームのデコードを開始する。スイッチ４２は、音声デコーダ４０から得られた蓄積音声を選択し、それをＤ／Ａ変換器４４に供給する。スピーカ４８は、アンプ４６から得られた蓄積音声を自動的に出力し始める。
【００８９】
ステップＳ１０７：解像度変換部２０は、映像デコーダ１８から得られた放送映像の解像度を調整することによってその放送映像のサイズを表示器２６の画面サイズの約１／４にする。ＯＳＤ部６４は、放送映像のチャネル番号を表す表示情報（例えば、「６ｃｈ」）を生成する。合成部２２は、ＯＳＤ部６４から得られた表示情報を解像度変換部２０から得られた放送映像の一部に重ね合わせる。一方、解像度変換部３６は、映像デコーダ３４から得られた蓄積映像の解像度を調整することによってその蓄積映像のサイズを表示器２６の画面サイズの約１／４にする。ＯＳＤ部６４は、蓄積映像が再生中であることを表す表示情報（例えば、「ＨＤＤ  ＰＬＡＹ」）を生成する。合成部２２は、ＯＳＤ部６４から得られた表示情報を解像度変換部３６から得られた蓄積映像の一部に重ね合わせる。
【００９０】
ステップＳ１０８：合成部２２は、解像度変換部２０から得られた放送映像と解像度変換部３６から得られた蓄積映像とを含む合成映像を生成する。Ｄ／Ａ変換２４は、合成部２２から得られた合成映像をＤ／Ａ変換する。表示器２６は、Ｄ／Ａ変換２４から得られた合成映像を表示する。このとき、表示器２６が表示する合成映像の一例を図６（ｃ）に示す。図６（ｃ）において、１３０は表示器２６の画面、１３２は蓄積映像、１３４は放送映像である。またこのとき、スピーカ４８からは蓄積音声が出力されている。スピーカ４８から出力される音声を放送音声に切り換えたい場合、ユーザは右ウインドウキー１０２（放送映像は画面の右に表示されているため）を押せばよい。
【００９１】
このように、第５の実施の形態における映像処理装置によれば、表示器２６に放送映像および蓄積映像を含む合成映像を表示しているときに蓄積映像の再生を一時停止する指示を検出した場合は、一時停止中の蓄積映像のサイズを小さくするとともに、放送映像のサイズを大きくすることができるので、放送映像を見やすくすることも、蓄積映像の再生をどこで一時停止したかをユーザに知らせることもできる。さらに、この場合において蓄積映像の再生を再開する指示を検出した場合は、蓄積映像および放送映像のサイズを自動的に元のサイズに戻すことも、蓄積音声の出力を自動的に開始することもできる。
【００９２】
なお、第５の実施の形態で説明した機能は、図１のＣＰＵ６２で実行可能なプログラムによって実現することもできる。
【図面の簡単な説明】
【００９３】
【図１】各実施の形態における映像処理装置の主要な構成要素を示すブロック図である。
【図２】リモコン５２およびリモコン５２の操作キーを示す図である。
【図３】ＨＤＤ３０用のメニュー画面の一例を示す図である。
【図４】第１の実施の形態における映像処理装置の処理手順を示すフローチャートの一部である。
【図５】第１の実施の形態における映像処理装置の処理手順を示すフローチャートの残りの部分である。
【図６】図１の表示器２６が表示する映像の一例を示す図である。
【図７】第２の実施の形態における映像処理装置の処理手順を示すフローチャートである。
【図８】第３の実施の形態における映像処理装置の処理手順を示すフローチャートである。
【図９】第４の実施の形態における映像処理装置の処理手順を示すフローチャートである。
【図１０】第５の実施の形態における映像処理装置の処理手順を示すフローチャートである。
【図１１】図１の表示器２６に表示される映像の一例を示す図である。
【符号の説明】
【００９４】
１０  アンテナ
１２  デジタルチューナ
１４  復調＆エラー訂正部
１６  デマルチプレクサ
１８  映像デコーダ
２０  解像度変換部
２２  合成部
２４  Ｄ／Ａ変換器
２６  表示器
２８  ＨＤＤインターフェース
３０  ＨＤＤ
３２  デマルチプレクサ
３４  映像デコーダ
３６  解像度変換部
３８  音声デコーダ
４０  音声デコーダ
４２  スイッチ
４４  Ｄ／Ａ変換器
４６  アンプ
４８  スピーカ
５０  バス
５２  リモコン
５４  リモコンインターフェース
５６  ＲＡＭ
５８  プログラムメモリ
６０  不揮発性メモリ
６２  ＣＰＵ
６４  ＯＳＤ部
７０  赤外線発光部
７２  電源キー
７４  決定キー
７６  右カーソルキー
７８  下カーソルキー
８０  左カーソルキー
８２  上カーソルキー
８４  ＨＤＤメニューキー
８６  早戻しキー
８８  再生キー
９０  早送りキー
９２  記録キー
９４  ストップキー
９６  ポーズキー
９８  左ウインドウキー
１００  ２ウインドウキー
１０２  右ウインドウキー
１０４  チャネルダイレクトキー群
１０６  番組表キー
１０８  チャネルダウンキー
１１０  チャネルアップキー
１１２  音量ダウンキー
１１４  音量アップキー
【図１】
2008306740.tif 000003
【図２】
2008306740.tif 000004
【図３】
2008306740.tif 000005
【図４】
2008306740.tif 000006
【図５】
2008306740.tif 000007
【図６】
2008306740.tif 000008
【図７】
2008306740.tif 000009
【図８】
2008306740.tif 000010
【図９】
2008306740.tif 000011
【図１０】
2008306740.tif 000012
【図１１】
2008306740.tif 000013